(57)【要約】【課題】  光源と偏光分離素子との間にワイヤグリッド偏光板を入れシェーディングを抑制して高輝度、高コントラスト化が可能な投射型表示装置を提供する。【解決手段】  反射型空間光変調素子１０７，１１３，１１４に入射したＲ，Ｇ，Ｂ光は、それぞれの画像信号に応じて偏光変調され、画像信号の白信号に対応した偏光方向の光はワイヤグリッド偏光板１０６，１１１，１１２を反射し、黒信号に対応した偏光方向の光は透過する。照明光学系とワイヤグリッド偏光板１０６，１１１，１１２の間にワイヤグリッド偏光板１１７，１１８を照明光学系の光軸とワイヤグリッド偏光板１１７，１１８の入射面のなす角度が直角から５度以上傾けて入れることによって、ワイヤグリッド偏光板１０６，１１１，１１２で完全に分離されない不要光が反射型空間光変調素子１０７，１１３，１１４に再度入射されることを防ぎ、コントラストを改善する。【選択図】  図１
2008275909.tif 000002
【特許請求の範囲】
【請求項１】
少なくとも、赤色、緑色及び青色の色光成分を含む照明光を射出する光源と、
前記照明光を、各色に対応する信号に基づいて光変調する反射型空間光変調素子と、
前記照明光を、前記反射型空間光変調素子に入射させる照明光学系と、
前記照明光学系と前記反射型空間光変調素子との間に配置され、前記反射型空間光変調素子に入射される照明光のうちの所定の方向の偏光成分のみを透過させるとともに、前記反射型空間光変調素子により偏光変調された変調光を反射させ、この変調光を照明光学系に戻る光路から分岐させる偏光分離素子と、
前記照明光学系と前記偏光分離素子との間に入射面の成す角度が前記照明光学系の光軸から所定の角度傾いて配置され、前記変調光が前記偏光分離素子で分岐されない光を反射するためのワイヤグリッド偏光板と、
前記変調光をスクリーンに投射して結像させる投射レンズと、
を備えたことを特徴とする投射型表示装置。
【請求項２】
前記偏光分離素子で完全に分離されない光を反射するためのワイヤグリッド偏光板が前記照明光学系の光軸と成す角度は、５度以上となされていることを特徴とする請求項１記載の投射型表示装置。
【発明の詳細な説明】
【技術分野】
【０００１】
本発明は、ＲＧＢ３原色光に対応して反射型空間光変調素子により変調された各色の変調画像光を投射レンズによりスクリーン上に拡大して表示する投射型表示装置に関する。
【背景技術】
【０００２】
最近、映像情報の多様化、高画質化が進み、ハイビジョン放送規格やコンピータグラフィクスの高品質画像データが増加し、これに伴って高品質画像データを拡大表示するために投射型表示装置が盛んに利用されている。
【０００３】
この種の投射型表示装置のうちで３板式の投射型表示装置では、ＲＧＢ３原色光に対応して各色光ごとに用意した３つの空間光変調素子により表示される画像に応じて変調された各色の変調画像光を光学的に合成して、カラー画像光を投射レンズによりスクリーン上に拡大して表示している。
【０００４】
この際、投射型表示装置は、これに適用される空間光変調素子の種類によって、透過型空間光変調素子を適用したもの、反射型空間光変調素子を適用したもの、ＤＭＤ（Ｄｉｇｉｔａｌ  Ｍｉｒｒｏｒ  Ｄｅｖｉｃｅ）を適用したものがある。
【０００５】
透過型空間光変調素子及びＤＭＤを適用したものは、光学構成が比較的簡単にできるために小型化が容易であるが高解像度化に難がある。一方、反射型空間光変調素子を適用したものは高解像度化に有利であるが光学構成が複雑となるために小型化に難がある。
【０００６】
特に、反射型空間光変調素子を適用した投射型表示装置は、反射型空間光変調素子に照射される入射光と当該反射型空間光変調素子で光変調された反射光とを分離するために偏光ビームスプリッタを必要とする。高コントラストを実現するためには一つの反射型空間光変調素子に対して、通常２つ以上の偏光ビームスプリッタを作用させるために、これが投射型表示装置の光学構成を複雑にしていたが、最近、複数の偏光ビームスプリッタを至近距離に配置してセラミックスベース等に接着固定し、光学系を構成することにより小型化を達成している。
【０００７】
しかしながら、通常偏光ビームスプリッタは偏光分離面を接合面として、２つのガラスプリズムを貼り合わせた立方体構造からなるため、光源から発する光が偏光ビームスプリッタで吸収されることにより熱分布を生じるために温度差が発生して複屈折が起こるため、表示画像の映像品質を低下させるという問題があった。また、ガラスプリズムは重量が重いため、投射型表示装置の軽量化を阻害するという問題があった。
【０００８】
この問題を解決するために、ガラスプリズムの偏光ビームスプリッタにかわる偏光分離手段として光学ガラス基板の片面側に、細い金属線を規則正しく並べて配置して、偏光分離させるようにしたワイヤグリッド偏光板（ｗｉｒｅ  ｇｒｉｄ  ｐｏｌａｒｉｚｅｒ）を用いることを本出願人は提案している（例えば、特許文献１参照）。
【０００９】
また、投射型表示装置に対する市場のニーズとして、表示画像の一層の高輝度化・高コントラスト化が求められている。これらに対応するために、光源を構成するランプの光量増加等、照明光学系の効率を改善することにより、投射レンズより投射できる光量を増加させて、高コントラストのシステムを構成しようとすると、従来問題になっていなかったレベルでの特性及び構成要素の特性の影響が大きく、高コントラスト化を実現することは困難であるという問題があった。
【００１０】
すなわち、従来例においては、光源の光量を増大すると、プリＰＢＳ及びフィールドレンズを構成するガラスが発熱の増加により、複屈折が増大し、これによって色ムラ（シェーディング）が増加することが特に問題であった。
【００１１】
そこで、上記問題を解決するため、金属偏光板を前記色分解手段と前記各色対応のフィールドレンズとの間か、又は、前記各色対応のフィールドレンズと前記各色対応の偏光ビームスプリッタとの間に配置したことによりシェーディングを抑制して高輝度、高コントラスト化が可能な投射型表示装置を本出願人は提案している（例えば、特許文献２参照）。
【００１２】
【特許文献１】特開２００３−２４１１４４号公報
【特許文献２】特開２００３−１９５２２１号公報
【発明の開示】
【発明が解決しようとする課題】
【００１３】
ところで、従来の投射型表示装置では、上述したように、照明光学系と偏光分離素子の間に金属偏光板であるワイヤグリッド偏光板を入れることによって、偏光分離素子で完全に分離されない不要光を除外して、コントラストを改善することができるが、反射型空間光変調素子から照明光学系側に戻る黒信号に対応した画像光がワイヤグリッド偏光板で反射し、その反射光が反射型空間光変調素子に再入射して光源像を結像し、画像の品位を損なうという問題があった。
【００１４】
本発明は、以上の点に鑑みなされたもので、偏光分離手段としてワイヤグリッド偏光板を用い、照明光学系と偏光分離手段であるワイヤグリッド偏光板との間にワイヤグリッド偏光板を入れた構成であっても、シェーディングを抑制して高輝度、高コントラスト化が可能な投射型表示装置を提供することを目的とする。
【課題を解決するための手段】
【００１５】
本発明は、上記課題を解決するために、以下１）〜２）に記載の手段よりなる。
すなわち、
１）少なくとも、赤色、緑色及び青色の色光成分を含む照明光を射出する光源と、
前記照明光を、各色に対応する信号に基づいて光変調する反射型空間光変調素子と、
前記照明光を、前記反射型空間光変調素子に入射させる照明光学系と、
前記照明光学系と前記反射型空間光変調素子との間に配置され、前記反射型空間光変調素子に入射される照明光のうちの所定の方向の偏光成分のみを透過させるとともに、前記反射型空間光変調素子により偏光変調された変調光を反射させ、この変調光を照明光学系に戻る光路から分岐させる偏光分離素子と、
前記照明光学系と前記偏光分離素子との間に入射面の成す角度が前記照明光学系の光軸から所定の角度傾いて配置され、前記変調光が前記偏光分離素子で分岐されない光を反射するためのワイヤグリッド偏光板と、
前記変調光をスクリーンに投射して結像させる投射レンズと、
を備えたことを特徴とする投射型表示装置。
２）前記偏光分離素子で完全に分離されない光を反射するためのワイヤグリッド偏光板が前記照明光学系の光軸と成す角度は、５度以上となされていることを特徴とする１）記載の投射型表示装置。
【発明の効果】
【００１６】
本発明の投射型表示装置によれば、光源と偏光分離素子との間にワイヤグリッド偏光板を入れシェーディングを抑制して高輝度、高コントラスト化が可能な投射型表示装置を提供することができると共に、光源像が反射型空間光変調素子に再結像することによる画質劣化を招くことなく、高コントラスト化が可能な投射型表示装置を提供することができる
【発明を実施するための最良の形態】
【００１７】
以下、本発明に係る投射型表示装置を実施するための最良の形態につき、好ましい実施例により説明する。
＜実施例１＞
【００１８】
図１に、実施例１に適用される投射型表示装置の構成図を示す。
光源１０１から射出した白色光は、フライアイレンズ１０２を通過した後、ダイクロイックミラー１０３によって、Ｂ光とＲＧ光に分離する。分離したＢ光１０４はミラー１０５で反射されて、ワイヤグリッド偏光板１０６に入射し、一方向の偏光方向の光のみ透過して、Ｂ光に対応した反射型空間光変調素子１０７に入射する。
【００１９】
また、ダイクロイックミラー１０３によって分離したＲＧ光１０８はミラー１０９で反射されてダイクロイックミラー１１０に入射し、Ｒ光は透過し、Ｇ光は反射されて、それぞれワイヤグリッド偏光板１１１，１１２に入射する。そこで一方向の偏光方向の光のみ透過して、それぞれＲ光、Ｇ光に対応した反射型空間光変調素子１１３，１１４に入射する。
【００２０】
反射型空間光変調素子１０７，１１３，１１４に入射したＲ，Ｇ，Ｂ光は、それぞれの画像信号に応じて偏光変調され、画像信号の白信号に対応した偏光方向の光はワイヤグリッド偏光板１０６，１１１，１１２を反射し、黒信号に対応した偏光方向の光は透過する。説明がわかりやすいように白信号、黒信号に対応すると記載するが、それぞれの画像信号のレベルに応じて偏光変調され、その変調度合いに応じて反射される。ワイヤグリッド偏光板１０６，１１１，１１２によって反射された画像光はクロスダイクロイックプリズム１１５に入射して色合成され、投射レンズ１１６を通して図示しないスクリーン上に結像する。
【００２１】
光源１０１，フライアイレンズ１０２，ダイクロイックミラー１０３からなる照明光学系とワイヤグリッド偏光板１０６，１１１，１１２の間にワイヤグリッド偏光板１１７，１１８を照明光学系の光軸とワイヤグリッド偏光板１１７，１１８の入射面のなす角度が直角から５度以上傾けて入れることによって、ワイヤグリッド偏光板１０６，１１１，１１２で完全に分離されない不要光が反射型空間光変調素子１０７，１１３，１１４に再度入射されることを防ぎ、コントラストを改善することができる。
【００２２】
このときの不要光の経路を図２を用いて説明する。なお、図２には説明に必要な部分のみを簡略化し、光軸を直線化して示している。反射型空間光変調素子１０７，１１３，１１４に入射したＲ，Ｇ，Ｂ光は、それぞれの画像信号に応じて偏光変調され、ワイヤグリッド偏光板１０６，１１１，１１２で画像信号の白信号に対応した偏光方向の光はワイヤグリッド偏光板を反射され（不図示）、黒信号に対応した偏光方向の光は透過する（点線）。
【００２３】
ワイヤグリッド偏光板１０６，１１１，１１２で画像信号の黒信号に対応した偏光方向の透過した光は（点線）、同図に示すように光軸２０１（一点鎖線）との入射面が傾いているワイヤグリッド偏光板１１７，１１８により反射させる。こうしてワイヤグリッド偏光板１０６，１１１，１１２の反射光の内ワイヤグリッド偏光板１０６，１１１，１１２で完全に分離されない不要光を反射型空間光変調素子１０７，１１３，１１４に再度入射させないようにして、再結像するのを防ぐことができる。
【００２４】
図３に２次光源像から反射型空間光変調素子までの光路図を示す。フライアイレンズ１０２を経て射出した光は、第１フィールドレンズ３０２、ワイヤグリッド偏光板１１７，１１８、第２フィールドレンズ３０２を経て、反射型空間光変調素子１０７，１１３,１１４に到達する。
【００２５】
このとき図４に示すように、ワイヤグリッド偏光板への戻り光がワイヤグリッド偏光板６１７，６１８で再び反射され、再度反射型空間光変調素子１０７，１１３,１１４に到達する。
【００２６】
図５にワイヤグリッド偏光板を傾けたときの反射光路図と実験による評価結果とを示す。同図（ａ）に示すように、θ＝０度のときは反射型空間光変調素子では結像状態にあり、画像の評価も悪い。画質評価×。
【００２７】
同図（ｂ）に示すように、θ＝５度のときは反射光が反射型空間光変調素子の外側に半分程度逃げているため、θ＝０度のときと比較して改善はされるが、光源像は完全には消えない。画質評価△。
【００２８】
同図（ｃ）に示すように、θ＝８度のときは反射光が反射型空間光変調素子の外側に完全に逃げているため、光源像は完全に見えなくなる。画質評価○。
【００２９】
傾き角θは、例えば反射型空間光変調素子のサイズが対角０．７インチ、光線のＦナンバーが３．２、反射型空間光変調素子１０７，１１３,１１４とワイヤグリッド偏光板１１７，１１８との距離が７０ｍｍの場合、８度以上となる。一般的な投射型画像表示装置において最もθが少なくなる条件においても、ワイヤグリッド偏光板１１７，１１８は５度以上傾いていれば十分である。
＜実施例２＞
【００３０】
図６は、実施例２に適用される投射型表示装置の構成を示す平面図である。実施例２に適用される投射型表示装置は、図６に示すように、無偏光、白色の照明光を射出する光源１１を有している。この光源１１は、例えば、メタルハライドランプ、キセノンランプ、ハロゲンランプなどであり、少なくとも赤色（Ｒ）光、緑色（Ｇ）光及び青色（Ｂ）光を含んだ無偏光、白色の照明光を射出する。
【００３１】
この光源１１から射出された照明光は、放物面鏡１２で反射されて略々平行光となり、放物面鏡１２の前面側に取り付けられた第１のフライアイレンズアレイ１３及び第２のフライアイレンズアレイ１４を順次透過する。これら第１及び第２のフライアイレンズアレイ１３，１４は、対をなして、照明光の光束内の照度分布を均一化するインテグレータを構成している。なお、光源１１の前方側に、紫外光及び赤外光をカットする図示しない可視外光除去フィルタを配置してもよい。
【００３２】
第１及び第２のフライアイレンズアレイ１３，１４を経た照明光は、偏光変換素子となる偏光変換プリズムアレイ１５に入射される。この偏光変換プリズムアレイ１５は、複数の偏光分離プリズムアレイと、複数のλ／２位相差板とを有して、全体として平板状に構成されている。この偏光変換プリズムアレイ１５に入射した光は、まず、偏光分離プリズムアレイが有する偏光ビームスプリッタ膜面により、この偏光ビームスプリッタ膜面に対するＰ偏光成分とＳ偏光成分とに分離される。偏光変換プリズムアレイ１５の各偏光ビームスプリッタ膜面は、平行なストライプ状に設けられており、それぞれが偏光変換プリズムアレイ１５の主面に対して４５°の傾斜を有している。各偏光ビームスプリッタ膜面において、Ｐ偏光成分は透過して偏光変換プリズムアレイ１５の前面側に射出され、Ｓ偏光成分は反射される。一つの偏光ビームスプリッタ膜面によって反射されたＳ偏光成分は、光路を９０°曲げられ、隣接する他の偏光ビームスプリッタ膜面によって再び反射されて光路を９０°曲げられて、偏光変換プリズムアレイ１５の前面側に射出される。
【００３３】
そして、Ｓ偏光成分が前面側に射出される領域には、λ／２位相差板が設けられている。このλ／２位相差板を透過したＳ偏光成分は、偏光方向を９０°回転され、偏光ビームスプリッタ膜面を透過したＰ偏光成分と同一の偏光方向となされる。このようにして、光源１１からの無偏光の照明光は、偏光変換プリズムアレイ１５を透過した後には、偏光方向が所定の一方向である偏光光となされている。
【００３４】
実施例２においては、偏光変換プリズムアレイ１５を透過した照明光の偏光方向は、図６中の符号（矢印）で示すように、例えば、紙面に垂直な方向（Ｐ偏光）に変換されている。ただし、偏光変換プリズムアレイ１５における偏光変換効率は１００％ではなく、この偏光変換プリズムアレイ１５からの射出光には、数％乃至数十％のＳ偏光成分が混入している。
【００３５】
なお、実施例２においては、偏光変換プリズムアレイ１５を透過した照明光の偏光方向をＰ偏光光として説明するが、これに限られるわけではなく、光源１１からの照明光を偏光変換プリズムアレイ１５によりＳ偏光光に偏光変換するようにしてもよい。
【００３６】
偏光変換プリズムアレイ１５を透過したＰ偏光光の照明光は、フィールドレンズ１６を経て、第１のダイクロイックミラー１７に入射する。この第１のダイクロイックミラー１７においては、照明光に含まれるＲ光、Ｇ光及びＢ光のうち、Ｒ光及びＧ光の２色の成分が反射されて９０°光路を変え、残りのＢ光の成分は、透過して直進する。
【００３７】
第１のダイクロイックミラー１７で反射されたＲ光及びＧ光は、第１の金属膜反射ミラー１８に入射し、この第１の金属膜反射ミラー１８で反射されて９０°方向を変え、第２のダイクロイックミラー１９に入射する。この第２のダイクロイックミラー１９においては、Ｒ光が透過して直進し、Ｒ光用空間光変調素子ブロック３０Ｒに入射する。一方、Ｇ光は、この第２のダイクロイックミラー１９において、反射されて９０°方向を変えて、Ｇ光用空間光変調素子ブロック３０Ｇに入射する。
【００３８】
また、第１のダイクロイックミラー１７を透過したＢ光は、第２及び第３の金属膜反射ミラー２０，２１により順次反射され、Ｂ光用空間光変調素子ブロック３０Ｂに入射される。
【００３９】
第１及び第２のダイクロイックミラー１７，１９は、光源１１からの照明光をＲ光、Ｇ光及びＢ光に色分解する色分解手段を構成しており、また、色分解手段を経たＲ光、Ｇ光及びＢ光を各色光用空間光変調素子ブロック３０Ｒ，３０Ｇ，３０Ｂに入射させる各構成部材が、各色光用の照明光学系となる。
【００４０】
この投射型表示装置において、光源１１、色分解手段１７，１９、照明光学系及び各色光用空間光変調素子ブロック３０Ｒ，３０Ｇ，３０Ｂは、同一平面上に配置されている。また、後述する色合成光学系となるクロスダイクロイックプリズム４０及び投射レンズ４２も、光源１１及び色分解手段１７，１９等と同じ一平面上に配置されている。
【００４１】
なお、この投射型表示装置において、色分解手段としては、第１のダイクロイックミラー１７に代えて、クロスダイクロイックミラーを用いてもよい。この場合には、クロスダイクロイックミラーに入射された照明光に含まれるＲ光、Ｇ光及びＢ光のうち、Ｒ光及びＧ光の２色の成分は、クロスダイクロイックミラーをなす一方のダイクロイックミラーにより反射されて９０°光路を変え、残りのＢ光の成分は、クロスダイクロイックミラーをなす他方のダイクロイックミラーにより反射され、Ｒ光及びＧ光の反対側に９０°光路を変える。そして、Ｒ光及びＧ光の２色の成分は、第２のダイクロイックミラーにより、Ｒ光とＧ光とに分解される。
【００４２】
さらに、実施例２では、光源１１からの照明光を色分解手段１７，１９によりＲ光、Ｇ光及びＢ光に色分解する構成を示しているが、これに限られることなく、前述の光源１１に代えて、Ｒ光、Ｇ光及びＢ光をそれぞれ射出するＲ光用、Ｇ光用及びＢ光用の各ＬＥＤ光源を用いるようにしてもよい。この場合には、色分解手段１７，１９を設ける必要はなく、各色光用のＬＥＤ光源から射出されたＲ光、Ｇ光及びＢ光のそれぞれの一方向の偏光成分を、各色光用空間光変調素子ブロック３０Ｒ，３０Ｇ，３０Ｂに入射させればよい。
【００４３】
この投射型表示装置において、各色用空間光変調素子ブロック３０Ｒ，３０Ｇ，３０Ｂは、全て同一の構成を有している。すなわち、各色用空間光変調素子ブロック３０Ｒ，３０Ｇ，３０Ｂは、中空三角柱状の支持部材３１を有し、この支持部材３１の各面において、ワイヤグリッド偏光板３２、反射型空間光変調素子（反射型液晶パネル）３８及び偏光板３９を支持して構成されている。また、各色用空間光変調素子ブロック３０Ｒ，３０Ｇ，３０Ｂは、直方体形状に形成された色合成光学系となるクロスダイクロイックプリズム４０の各入射面４０ａ，４０ｂ，４０ｃにそれぞれ対向して近接配置されている。
【００４４】
第１のダイクロイックミラー１７で反射されたＲ光及びＧ光は、第１の金属膜反射ミラー１８に入射し、この第１の金属膜反射ミラー１８で反射されて９０°方向を変え、第２のダイクロイックミラー１９に入射する。この第２のダイクロイックミラー１９においては、Ｒ光が透過して直進し、Ｒ光用空間光変調素子ブロック３０Ｒに入射する。一方、Ｇ光は、この第２のダイクロイックミラー１９において、反射されて９０°方向を変えて、Ｇ光用空間光変調素子ブロック３０Ｇに入射する。
【００４５】
また、第１のダイクロイックミラー１７を透過したＢ光は、第２及び第３の金属膜反射ミラー２０，２１により順次反射され、Ｂ光用空間光変調素子ブロック３０Ｂに入射される。
【００４６】
実施例１と同様に、各光用空間光変調素子ブロック３０Ｒ，３０Ｇ，３０Ｂに入射され、反射型空間光変調素子３８に入射したＲ，Ｇ，Ｂ光は、それぞれの画像信号に応じて偏光変調され、画像信号の白信号に対応した偏光方向の光はワイヤグリッド偏光板３２を反射し、黒信号に対応した偏光方向の光は透過する。説明がわかりやすいように白信号、黒信号に対応すると記載するが、それぞれの画像信号のレベルに応じて偏光変調され、その変調度合いに応じて反射される。それぞれワイヤグリッド偏光板３２によって反射された画像光はクロスダイクロイックプリズム４０に入射して色合成され、投射レンズ４２を通して図示しないスクリーン上に結像する。
【００４７】
このとき各ワイヤグリッド偏光板３２で完全に分離されない不要光が各反射型空間光変調素子３８に再度入射させないようにして、再結像するのを防ぐようにする。すなわち、第１の金属膜反射ミラー１８と第２のダイクロイックミラー１９との間、及び第２及び第３の金属膜反射ミラー２０，２１の間にワイヤグリッド偏光板６１，６２を照明光学系の光軸とワイヤグリッド偏光板６１，６２の入射面のなす角度が直角から５度以上傾けて入れることによって、コントラストを改善することができる。
【００４８】
傾き角θは、実施例１と同様に、例えば反射型空間光変調素子のサイズが対角０．７インチ、光線のＦナンバーが３．２、各反射型空間光変調素子３２とワイヤグリッド偏光板６１，６２との距離が７０ｍｍの場合、８度以上となる。一般的な投射型画像表示装置において最もθが少なくなる条件においても、ワイヤグリッド偏光板６１，６２は５度以上傾いていれば十分である。
【００４９】
なお、各実施例は、白色光源を用いこの光源からの照明光を赤色、緑色及び青色の各色光成分に色分解する色分解手段を用いた構成により動作を説明したが、単色の光源を用いた投射型表示装置として構成してもよい。また、赤色、緑色及び青色の光源を用いた構成としてももちろんよい。
【００５０】
さらに、各実施例は、赤色、緑色及び青色の変調光を合成して投射する構成により動作を説明したが、単色の光源を用いた投射型表示装置として構成した場合は当然に単色を投射する構成となる。また、赤色、緑色及び青色それぞれに対応した複数の投射レンズを用いた構成としてもよい。
【図面の簡単な説明】
【００５１】
【図１】実施例１に適用される投射型表示装置を説明するための構成図である。
【図２】実施例１に適用される投射型表示装置において、不要光の経路を説明するための図である。
【図３】２次光源像から反射型空間光変調素子までの光路を説明するための図である。
【図４】図３において、不要光が反射型空間光変調そしに再入射することを説明するための図である。
【図５】図４において、ワイヤグリッド偏光板を傾けたときの反射光路図と実験による評価結果とを説明するための図である。
【図６】実施例２に適用される投射型表示装置を説明するための構成図である。
【符号の説明】
【００５２】
１０１…光源
１０２…フライアイレンズ
１０３，１１０…ダイクロイックミラー
１０６，１１１，１１２，１１７，１１８…ワイヤグリッド偏光板
１０７，１１３，１１４…反射型空間光変調素子
１１６…投射レンズ
１１…光源
１５…偏光変換光学素子（偏光変換プリズムアレイ）
１７…第１のダイクロイックミラー
１９…第２のダイクロイックミラー
３０Ｒ…Ｒ光用空間光変調素子ブロック
３０Ｇ…Ｇ光用空間光変調素子ブロック
３０Ｂ…Ｂ光用空間光変調素子ブロック
３１…支持部材
３２，６１，６２…ワイヤグリッド偏光板
３８…反射型空間光変調素子（反射型液晶パネル）
３９…偏光板
４０…クロスダイクロイックプリズム
４２…投射レンズ
【図１】
2008275909.tif 000003
【図２】
2008275909.tif 000004
【図３】
2008275909.tif 000005
【図４】
2008275909.tif 000006
【図５】
2008275909.tif 000007
【図６】
2008275909.tif 000008